(57)【要約】【課題】  テレビ放送を記録する条件を設定するにあたり、少数の項目からなる条件を設定することで簡単な操作によって行うことができる映像受信記録装置を提供することである。【解決手段】  テレビ放送の記録を行う時間等に関する条件を設定し、この設定された条件に従ってテレビ放送を記録媒体に記録することができる映像受信記録装置を以下のように構成する。映像受信記録装置１は、テレビ放送をファイル単位で記録媒体に記録するようにされている。そして、テレビ放送の記録を開始する記録開始時間又はテレビ放送の記録を終了する記録終了時間と、テレビ放送の一ファイルに相当する記録を行う時間である単位記録時間と、単位記録時間に行う記録を一単位とする記録の回数と、をテレビ放送の記録を行う条件として設定するようにする。【選択図】  図１
2005136802.tif 000002
【特許請求の範囲】
【請求項１】
特定のチャンネルのテレビ放送を受信するためのチューナと、受信したテレビ放送を出力するテレビモニタと、受信したテレビ放送を記録媒体に記録するための記録手段と、動作を制御する制御部とを有する映像受信記録装置であって、
記録しようとするテレビ放送を当該映像受信装置が受信する時間の情報の設定に基づいて前記記録媒体にテレビ放送を記録できるようにされるとともに、前記テレビ放送の記録媒体への記録がファイル単位に行われるようにされており、
前記テレビ放送の記録が開始される記録開始時間を設定するための記録開始時間設定手段又は前記テレビ放送の記録が終了される記録終了時間を設定するための記録終了時間設定手段と、前記テレビ放送の一ファイルに相当する記録を行う時間である単位記録時間を設定するための単位記録時間設定手段と、前記単位記録時間にわたって行う記録を一単位とする記録の回数を設定するための記録回数設定手段とを備え、
前記記録開始時間又は記録終了時間の設定と前記単位記録時間の設定と前記記録の回数の設定とに基づき、前記記録媒体にテレビ放送を記録する際にテレビモニタにテレビ放送が出力されているチャンネルの該テレビ放送を記録するようにされた映像受信記録装置。
【発明の詳細な説明】
【技術分野】
【０００１】
本発明は、テレビ放送を記録するにあたり、その記録する条件の設定を簡易に行うことができる映像受信記録装置に関する。
【背景技術】
【０００２】
映像受信装置によると、該装置を使用する視聴者のテレビチャンネルを選択する操作に応じて特定のチャンネルを受信し、視聴者は選択したテレビ放送をテレビモニタによって視聴することができる。
【０００３】
ところで、映像受信装置には記録手段を備えるものがある。そして、記録手段を備える映像受信装置によると、記録しようとするテレビ放送が放映される時間に関する情報を予め設定しておくことにより、その時間が到来すると、自動的に記録手段を動作させ設定された条件に従ってテレビ放送を記録媒体に記録することができる。
【０００４】
このテレビ放送を記録する条件を設定するにあたり、記録しようとするテレビ放送についての受信する時間等の各種の条件を視聴者が設定することは、視聴者にとって煩わしい作業である。
【０００５】
そこで、従来の映像受信装置には、受信したテレビ放送を記録するための視聴者が行う作業の軽減を図ったものがある（例えば、特許文献１参照。）。
【特許文献１】特開平６−２９０５１０号
【発明の開示】
【発明が解決しようとする課題】
【０００６】
しかし、前記特開平６−２９０５１０号に開示された装置にあっては、記録の対象となるテレビ番組の開始時刻と放送時間とからなる記録用時間の定形パターンを各時間帯別に記憶させておく必要がある。この記録用時間の定形パターンを作成することは、煩雑な作業となる。
【０００７】
そこで、本発明は、テレビ放送を受信する時間の情報を予め設定することにより所定のテレビ放送の記録を行う映像受信記録装置であって、テレビ放送を記録する条件を設定する操作を簡単に行えるものを提供することを目的とする。
【課題を解決するための手段】
【０００８】
上記課題を解決するため、本発明は、特定のチャンネルのテレビ放送を受信するためのチューナと、受信したテレビ放送を出力するテレビモニタと、受信したテレビ放送を記録媒体に記録するための記録手段と、動作を制御する制御部とを有する映像受信記録装置であって、
記録しようとするテレビ放送を当該映像受信装置が受信する時間の情報の設定に基づいて前記記録媒体にテレビ放送を記録できるようにされるとともに、前記テレビ放送の記録媒体への記録がファイル単位に行われるようにされており、
前記テレビ放送の記録が開始される記録開始時間を設定するための記録開始時間設定手段又は前記テレビ放送の記録が終了される記録終了時間を設定するための記録終了時間設定手段と、前記テレビ放送の一ファイルに相当する記録を行う時間である単位記録時間を設定するための単位記録時間設定手段と、前記単位記録時間にわたって行う記録を一単位とする記録の回数を設定するための記録回数設定手段とを備え、
前記記録開始時間又は記録終了時間の設定と前記単位記録時間の設定と前記記録の回数の設定とに基づき、前記記録媒体にテレビ放送を記録する際にテレビモニタにテレビ放送が出力されているチャンネルのテレビ放送を記録するようにされた映像受信記録装置である。
【０００９】
本発明の映像受信記録装置によると、前記記録開始時間又は記録終了時間と前記単位記録時間と前記記録の回数とを設定することにより、テレビ放送を記録することができる。これにより、テレビ放送を記録するにあたり、少数の項目からなる条件を設定すればよく、簡単な入力操作によって行うことができる。
【発明の効果】
【００１０】
本発明は、以上説明したような形態で実施され、以下に記載されるような効果を奏する。本発明の映像受信記録装置によると、テレビ放送を記録する条件の設定を簡単な操作によって行うことができる。
【発明を実施するための最良の形態】
【００１１】
本発明の実施の形態について、図１乃至図４に基づいて説明する。図１は、本発明の一実施形態である映像受信記録装置１のブロック図であり、映像受信記録装置１の構成の概略を示している。
【００１２】
映像受信記録装置１は、チューナ５と制御用マイコン１０と外部メモリ６と記録再生部２５とテレビモニタ２を備えている。
【００１３】
チューナ５にはアンテナが接続されている。チューナ５は、受信するべき放送チャンネルの放送波を選択して受信する。チューナ５には、映像受信記録装置１を使用する視聴者（以下、「ユーザ」ともいう）により後に説明する操作用リモコンの操作を介して選択された放送チャンネルのデータが設定される。
【００１４】
そして、設定された放送チャンネルをチューナ５が受信すると、この放送チャンネルの放送信号（映像信号及び音声信号）は、チューナ５から後に説明するテレビモニタ２及び記録再生部２５に出力される。
【００１５】
テレビモニタ２は、制御用マイコン１０の制御に応じてチューナ５により受信したチャンネルのテレビ放送を出力する。また、記録再生部２５は、制御用マイコン１０の制御に応じてチューナ５により受信したテレビ放送を図示されない記録媒体に記録する。
【００１６】
制御用マイコン１０は、映像受信記録装置１全体の制御を行う。制御用マイコン１０は、ＣＰＵ（中央演算処理装置）、ＲＯＭ（読み出し専用メモリ）及びＲＡＭ（読み書き可能メモリ）を備えている。
【００１７】
制御用マイコン１０には、制御部１１、時計処理部１２、簡単録画設定部１５、開始処理部１６、時間カウント部１７及び回数カウント部１８が形成されている。また、制御用マイコン１０には、通常録画予約設定部２０、開始及び終了処理部２１、録画モード設定部２２及びチャンネル設定部２３が形成されている。
【００１８】
制御用マイコン１０に形成されるこれらの各部は、ＲＯＭ内の演算処理が可能なプログラムによってモジュール化されている。
【００１９】
制御部１１は、制御用マイコン１０の動作の制御を行う。制御部１１が制御用マイコン１０の各部を制御することにより、制御用マイコン１０が映像受信記録装置１の動作を制御する。
【００２０】
なお、制御用マイコン１０のＲＯＭには映像受信記録装置１を制御する手順からなる制御プログラムが格納されている。そして、制御用マイコン１０は、この制御プログラムを実行することによって映像受信記録装置１を制御する。
【００２１】
時計処理部１２は、時間データを発生させる。時計処理部１２は、制御用マイコン１０が備える内蔵クロックの動作に基づき時間データを発生させる。時計処理部１２により発生する時間データを参照することにより、現在時刻のデータを得ることができ、また特定の基準時より現在までに経過した時間のデータを得ることもできる。
【００２２】
簡単録画設定部１５は、後に説明する簡単録画を行うための制御処理を行う。即ち、簡単録画設定部１５は、後に説明する操作メニューを介して簡単録画を行う条件が入力されると、入力された簡単録画の条件に基づきテレビ放送を記録するように記録再生部２５を動作させるための制御処理を行う。
【００２３】
簡単録画設定部１５は、入力された簡単録画の条件に応じて開始処理部１６、時間カウント部１７、及び回数カウント部１８を動作させる。そして、開始処理部１６、時間カウント部１７及び回数カウント部１８の各々より出力される動作制御信号は、簡単録画設定部１５に入力され、簡単録画設定部１５より制御部１１に送信される。そして、制御部１１が簡単録画設定部１５より送信された動作制御信号に基づき記録再生部２５を制御することにより、テレビ放送の記録媒体への記録が行われる。
【００２４】
開始処理部１６は、入力された簡単録画の条件に基づきテレビ放送の記録を開始する制御処理を行う。開始処理部１６は、簡単録画の条件として記録を開始する開始時間が入力された場合、この開始時間が到来すると、記録再生部２５を記録を開始するように制御するための動作制御信号を出力する。
【００２５】
また、開始処理部１６は、簡単録画の条件として記録を終了する終了時間が入力された場合、この終了時間と後に説明する録画時間及び一録画を行う回数とから記録を開始する開始時間を演算する処理を行う。そして、開始処理部１６は、この開始時間が到来すると、記録再生部２５を記録を開始するように制御するための動作制御信号を出力する。
【００２６】
なお、開始処理部１６は、時計処理部１２により得られた時間のデータを適宜参照し、簡単録画を開始するべき開始時間の到来を検出するようにされている。
【００２７】
時間カウント部１７は、簡単録画により記録を行っている場合に一録画を行う時間である録画時間をカウントする処理を行う。即ち、時間カウント部１７は、簡単録画が開始されると、録画時間を経過したか否かをカウントする。
【００２８】
そして、時間カウント部１７は、録画時間が経過したことをカウントすると、録画時間終了報知信号を出力する。時間カウント部１７が録画時間終了報知信号を出力するごとに、その間に記録媒体に記録されたテレビ放送の内容が一ファイルとして記録されるように記録再生部２５が制御される。
【００２９】
なお、時間カウント部１７は、時計処理部１２により得られた時間のデータを適宜参照し、録画時間をカウントするようにされている。
【００３０】
回数カウント部１８は、前記録画時間ごとに行う一録画を行った回数をカウントする。回数カウント部１８は、前記時間カウント部１７により録画時間がカウントされるごとに、カウント値を１つ増加させるように処理する。
【００３１】
そして、回数カウント部１８は、そのカウント値が入力された簡単録画の条件のうちの録画の回数と一致すると、簡単録画終了信号を出力する。回数カウント部１８が簡単録画終了信号を出力すると、記録再生部２５は簡単録画による記録媒体への記録を終了するように制御される。
【００３２】
通常録画予約設定部２０は、一般的な録画予約に基づきテレビ放送を記録するための制御処理を行う。即ち、通常録画予約設定部２０は、操作メニューを介して一般的な録画予約を行う条件が入力され設定されると、この録画予約の条件に基づきテレビ放送を記録するように記録再生部２５を動作させる制御処理を行う。
【００３３】
一般的な通常録画予約では、記録を開始する時間及び記録を終了する時間、テレビ放送の記録を行うチャンネル、及び記録を行う録画モード等、を予め設定しておくことにより、設定された条件に従ってテレビ放送が記録媒体に記録される。
【００３４】
開始及び終了処理部２１は、記録再生部２５により記録を開始するための処理と記録を終了するための処理とを行う。開始及び終了処理部２１は、入力された通常録画予約の条件のうち記録を開始する時間として設定された時間が到来すると、記録再生部２５を記録を開始するように制御するための動作制御信号を出力する。
【００３５】
また、開始及び終了処理部２１は、入力された通常録画予約の条件のうち記録を終了する時間として設定された時間が到来すると、記録再生部２５を記録を終了するように制御するための動作制御信号を出力する。
【００３６】
録画モード設定部２２は、入力された通常録画予約の条件のうちの録画モードに従った動作により記録を行うように動作制御信号を出力する。
【００３７】
チャンネル設定部２３は、入力された通常録画予約の条件のうち記録を行うテレビ放送のチャンネルとして設定された特定のチャンネルを受信するための動作制御信号を出力する。そして、通常録画予約により記録を開始する時間が到来すると、チューナ５には受信するべき特定のチャンネルのデータが設定される。
【００３８】
外部メモリ６は制御用マイコン１０に接続されている。外部メモリ６は、制御用マイコン１０による読み出しと書き込みが可能に構成されている。外部メモリ６は、Ｅ２ＰＲＯＭにより構成することができる。
【００３９】
また、外部メモリ６には、この映像受信記録装置１により受信することが可能なテレビ放送のチャンネルの周波数データが記憶されている。この受信可能な各チャンネルの周波数データは、映像受信記録装置１のプリセットにより、外部メモリ６に設定される。
【００４０】
記録再生部２５は、入力された放送内容を図示されない記録媒体に記録し、又は記録媒体に記録される内容を再生する処理を行う。記録再生部２５により記録媒体に記録される内容を再生すると、再生された内容はテレビモニタ２に出力される。
【００４１】
記録再生部２５は、記録媒体としてＤＶＤ（ディジタルバーサタイルディスク）、ＨＤ（ハードディスク）、又はビデオテープを用いるもの等、映像や音声を記録する記録媒体への記録及び該記録媒体の再生を行い得るものであればいずれを用いることもできる。
【００４２】
この映像受信記録装置１は、図示されない操作用リモコンを備えている。そして、映像受信記録装置１を使用するユーザが操作用リモコンを操作することにより、映像受信記録装置１を操作することができる。
【００４３】
操作用リモコンは、映像受信記録装置１を操作するための各種の操作キーを備えている。操作用リモコンは、電源オン／オフするための電源キー、数値データを入力するための数値キー、操作メニューを表示するための操作メニュー表示キー等、映像受信記録装置１の操作に必要な各種のキーを備えている。
【００４４】
操作用リモコンの操作メニュー表示キーを操作することにより、テレビモニタ２に操作メニューを表示することができる。そして、テレビモニタ２に表示された操作メニューへの入力を介して映像受信記録装置１を動作させる条件を設定することができる。この操作メニューへの入力は、操作メニュー表示キーの他、操作用リモコンに備わる所要の操作キーによって行う。
【００４５】
なお、映像受信記録装置１のユーザが操作用リモコンの各操作キーを操作すると、各操作キーに割り当てられる操作キー判別信号が操作用リモコンより出力され、図示されないリモコン受光部に入力される。
【００４６】
そして、リモコン受光部に入力された操作キー判別信号は、図示されない信号処理経路を経て制御用マイコン１０の制御部１１に入力される。これにより、制御部１１は、操作用リモコンのいずれの操作キーが操作されたか判断し、ユーザによってされた操作に対応させた制御を行う。
【００４７】
次に、映像受信記録装置１を簡単録画を行う簡単録画モードで動作するよう設定するための操作について、図２により説明する。図２は、テレビモニタ２に表示される操作メニューの一例である。
【００４８】
図２（ａ）には操作メニューの項目として、「１．予約設定」、「２．時計合わせ」、「３．チャンネル合わせ」、「４．簡単録画」、「５．通常録画」がテレビモニタ２に表示された例が示される。
【００４９】
図２（ａ）に示される「４．簡単録画」は、簡単録画を行う条件を設定するための項目である。この簡単録画は、ユーザがテレビ放送の記録を行う条件を設定し録画の予約を行うにあたり、簡易な入力により設定できるようにした操作メニューの項目である。
【００５０】
図２（ａ）に示される操作メニューの項目より「４．簡単録画」を選択すると、図２（ｂ）に示されるように、簡単録画を行う具体的な条件を設定するためのメニューがテレビモニタ２に表示される。
【００５１】
図２（ｂ）には、「簡単録画」を行う条件を設定する項目として、「録画時間」、「時間」、「回数」、「設定」が表示されている。図２（ｂ）に示される「録画時間」は、簡単録画によりテレビ放送を記録する場合に、記録媒体上に一ファイル分の記録を行う録画時間を設定するための項目である。
【００５２】
この録画時間にわたって行う記録は、テレビ放送を記録する場合の記録の単位となる一録画にあたる。そして、録画時間にわたって記録を行うと、一録画ファイルが記録媒体上に形成される。この録画時間は、テレビ放送の一ファイルに相当する記録を行うための単位記録時間にあたる。図２（ｂ）に示される例では、録画時間は１時間に設定されている。
【００５３】
図２（ｂ）に示される「時間」は、テレビ放送の記録を開始する開始時間又はテレビ放送の記録を終了する終了時間を設定するための項目である。この開始時間又は終了時間を設定するにあたり、「開始」を選択すると開始時間を設定でき、「終了」を選択すると終了時間を設定できる。図２（ｂ）に示される例では、開始時間が設定されており、開始時間はＰＭ７時に設定されている。
【００５４】
図２（ｂ）に示される「回数」は、前記録画時間にわたって行う記録を一単位として記録を行う回数を設定するための項目である。図２（ｂ）に示される例では、記録を行う回数は３回に設定されている。
【００５５】
また、図２（ｂ）に示される「設定」は、映像受信記録装置１を簡単録画を行うように動作させるか否かを設定するための項目である。この「設定」の項目では、「ＯＮ」、「ＯＦＦ」を選択して簡単録画を行うか否かを設定できるようにされている。図２（ｂ）に示される例では、「設定」は「ＯＮ」に設定されており、簡単録画を行うように設定されている。
【００５６】
図２（ｂ）に示されるように、録画時間を１時間に設定し、記録の開始時間をＰＭ７時に設定し、記録の回数を３回に設定した場合に、記録媒体上に形成される録画ファイルについて図３により説明する。
【００５７】
図３は、図２（ｂ）に示されるように簡単録画を行う条件を設定した場合に、記録媒体上に形成される録画ファイルと、各録画ファイルの記録の始点となる時間と記録の終点となる時間との関係を示す図である。
【００５８】
図３に示されるように、ＰＭ７時からＰＭ８時にわたって受信したテレビ放送が第一の録画ファイルＲＦ１として記録される。また、ＰＭ８時からＰＭ９時にわたって受信したテレビ放送が第二の録画ファイルＲＦ２として記録される。そして、ＰＭ９時からＰＭ１０時にわたって受信したテレビ放送が第三の録画ファイルＲＦ３として記録される。
【００５９】
また、図２（ａ）に示される項目のうち「５．通常録画」は、一般的な通常の録画の予約を行うための項目であり、通常の録画を行う条件を設定するための項目である。
【００６０】
図２（ａ）に示される操作メニューの項目より「５．簡単録画」を選択すると、一般的な通常録画予約を行うための図示されないメニューがテレビモニタ２に表示される。そして、この通常録画予約を行うためのメニューに基づく入力を介して通常録画の条件を設定できる。
【００６１】
なお、以上に説明した簡単録画の条件及び通常録画の条件を設定するにあたり、簡単録画を行う時間帯と通常録画を行う時間帯とを重複して設定することはできない。そして、簡単録画を行う時間帯と通常録画を行う時間帯とを重複して設定するようにユーザが操作することを防ぐため、以下のようにすることができる。
【００６２】
例えば、ユーザが簡単録画の時間帯と通常録画の時間帯とを重複させて設定する操作を行った場合に、この重複を生ずることをテレビモニタ２にＯＳＤ表示により表示することによりユーザに報知することができる。
【００６３】
また、ユーザにより簡単録画の時間帯と通常録画の時間帯とを重複させて設定する操作が行われた場合に、簡単録画又は通常録画のいずれかを優先して設定するようにし、この優先して設定されることとなる録画モードをテレビモニタ２に表示しユーザに報知することもできる。
【００６４】
以上に説明した操作メニューの録画時間を設定する項目は、単位記録時間を設定するための単位記録時間設定手段にあたる。また、簡単記録を開始する開始時間を設定する項目は記録開始時間設定手段にあたり、簡単記録を終了する終了時間を設定する項目は記録終了時間設定手段にあたる。また、前記記録を行う回数を設定する項目は、記録回数設定手段にあたる。
【００６５】
次に、以上に説明した映像受信記録装置１の動作の例について、図４に基づいて説明する。図４は、映像受信記録装置１を動作させる手順の一例のフローチャートである。
【００６６】
映像受信装置１のユーザが、映像受信装置１を電源オンし、操作用リモコンを操作してテレビモニタ２に操作メニューを表示する。そして、操作メニューの項目より「４．簡単録画」を選択し、簡単録画を行うための条件を設定する。また、必要に応じて操作メニューの項目より、「５．通常録画」を選択し、通常録画を行うための条件を設定する。これにより、録画を行う条件が設定され、予約スタンバイの状態となる（Ｓ１）。
【００６７】
そして、ユーザが視聴を希望する特定のチャンネルを受信するように、操作用リモコンにより映像受信装置１に特定のチャンネルを設定する。これにより、映像受信装置１はユーザにより選択されたチャンネルを受信し、受信したチャンネルのテレビ放送がテレビモニタ２に出力される。
【００６８】
そして、テレビ放送の記録を開始するべき録画開始時間が到来すると（Ｓ２）、この録画開始時間に記録を開始することが簡単録画によって行うように設定されているか否か判断する（Ｓ３）。
【００６９】
簡単録画により行うように設定されている場合には（Ｓ３、ＹＥＳ）、設定されている簡単録画予約の条件に従った録画を行い（Ｓ４）、テレビ放送の記録を行うための処理を終了する（Ｓ６）。
【００７０】
一方、前記録画開始時間に記録を行うことの設定が簡単録画によって行うよう設定されていない場合には（Ｓ３、ＮＯ）、通常録画予約に従った録画を行う（Ｓ５）。そして、テレビ放送の記録を行うための処理を終了する（Ｓ６）。
【００７１】
以上説明した手順により簡単録画を行う場合、簡単録画により記録を行う際に映像受信記録装置１のチューナ５により現に受信しテレビモニタ２にテレビ放送が出力されているチャンネルのテレビ放送が記録される。
【００７２】
即ち、録画を開始する以前より特定のチャンネルのテレビ放送を受信し視聴している場合で、このチャンネルを簡単録画の開始後も視聴する場合には、このチャンネルのテレビ放送が記録される。一方、簡単録画を行っている最中に、視聴するテレビ放送のチャンネルが変更されると、変更されたチャンネルのテレビ放送が記録される。
【００７３】
以上に説明した映像受信記録装置１によると、簡単録画を行うことができる。この簡単録画によると、記録媒体上にテレビ放送の一ファイルに相当する記録を行う録画時間と、記録を開始する開始時間又は記録を終了する終了時間と、前記一ファイルとしての記録を行う回数とを設定することで、録画の予約を行うことができる。これにより、より少ない項目について設定を行うことで録画の予約を行うことができ、その操作を簡易にすることができる。
【００７４】
以上の映像受信記録装置１の説明では、簡単録画によりテレビ放送を記録媒体に記録する手段として記録及び再生を行う記録再生部２５を設ける例を挙げた。簡単録画によりテレビ放送を記録媒体に記録するにあたり、記録手段を備えればよく再生手段を必ずしも備える必要はない。
【図面の簡単な説明】
【００７５】
【図１】本発明の一実施形態である映像受信記録装置のブロック図である。
【図２】簡単録画を行う条件を設定するための操作メニューの一例である。
【図３】簡単録画により形成される録画ファイルと記録が行われた時間の始点及び終点との関係を示す図である。
【図４】映像受信記録装置を動作させる手順の一例のフローチャートである。
【符号の説明】
【００７６】
１    映像受信記録装置
２    テレビモニタ
５    チューナ
６    外部メモリ
１０    制御用マイコン
１１    制御部
１２    時計処理部
１５    簡単録画設定部
１６    開始処理部
１７    時間カウント部
１８    回数カウント部
２０    通常録画予約設定部
２１    開始及び終了処理部
２２    録画モード設定部
２３    チャンネル設定部
２５    記録再生部
【図１】
2005136802.tif 000003
【図２】
2005136802.tif 000004
【図３】
2005136802.tif 000005
【図４】
2005136802.tif 000006